(57)【要約】      （修正有）【課題】葬儀に際して，出棺前の遺体の保管方法で遺族の心を慰める効果の向上を図ることができる造花を提供する。【解決手段】出棺以前に保管された遺体に香の良い造花１を添わせる。お棺に入れて置くまたは保管場所に置くことで，遺族に喜ばれる遺体の保管方法を提供する。そのための造花１の提供を行う。【選択図】図１
0003207332.tif 000002
【実用新案登録請求の範囲】
【請求項１】
葬儀の前または葬儀中に遺体を保管する際に、遺体に添える造花であり、造花自体に香がついている造花
【請求項２】
請求項１の香は、ラベンダー、バラ、百合または桜である造花
【考案の詳細な説明】
【技術分野】
【０００１】  本考案は、葬儀前および葬儀中に保管する遺体の脇に添える造花に関する。
【背景技術】
【０００２】  遺体の保管では，防腐のためにドライアイスを脇に置くことが行われている。または，遺体が冷凍室にて保管されることがある。葬儀では，火葬の前の出棺前に，生花を入れて飾ることが行われている。出棺前の保管の状態では，香を放つ花を添えることはしていない。【０００３】  なお、本考案に関連する先行技術として特許文献１から特許文献３に示すものがある。
【先行技術文献】
【特許文献】
【０００４】
【特許文献１】  特開２０１３−２４０９７１
【特許文献２】  特開２００５＾２４０２６１
【特許文献３】
【考案の概要】
【考案が解決しようとする課題】
【０００５】  遺体の防腐の目的だけでドライアイスや防腐材を脇に置くだけ，または冷凍室にて保管するだけでは，遺族と関係者の満足を満たすことが難しい。遺体を物のように扱うことになる。【０００６】  出棺前の保管時に，または冷蔵庫保存時に，故人が好きだった生花添えることもできるが，生花では萎れてしまう。香がないと遺族の満足を得るのは困難である。面会の方は遺体の扱いに対して残念に思うことが多い。【０００７】  つまり、従来の方法では遺族または面会に来る関係者の満足を得ることのできることが困難であり，かつ不快感を与えることが多い，という問題がある。
【課題を解決するための手段】
【０００８】  本願の考案者は、前述の問題を解決するために、造花に香を付加して，遺体の脇に添えることを考案した。故人または遺族の好む造花で遺体を飾る，また香の良い造花で飾ること，出棺前の遺体保管の状態で，お棺に遺体の周りにおくことで，遺族の満足を得ることができると考えて、本考案を完成するに至った【０００９】  造花にすることで，冷凍環境でも萎れることがない。【００１０】  造花は常時保管しておけるので急な要請にも応えることができる。【００１１】  香は，ラベンダーなど色々なものを選べるようにし，遺族の要求に応えることができる。香は、長い期間必要ないので、納入直前に付けることで、香がなくなることがない。【００１２】  出棺前に添える生花と一緒に火葬してしまうので，廃棄の処理は不要である。【００１３】  花の種類は，季節に拘わらず，菊，百合など多数の種類を準備できる。
【考案の効果】
【００１４】  本考案によれば、遺族の満足できる遺体の保管方法を提供できる。冷凍保管の時でも同様である。前述のように、造花であるので事前に準備しておける。また香と防腐効果は，納入直前にスプレイ方式などで付加することができる。よって，緊急な要請に対しても対応できる。遺族の要請に，安価に迅速に応えることができる。【００１５】  図１に造花と遺体（省略）を保管する容器を示す。
１は、遺体のそばに添える香の付いた造花
２は、遺体を入れる容器
【考案を実施するための形態】
【００１６】  本考案の実施形態に係る方法を以下に説明する。
色々な花の造花，香成分，防腐効果のある付加材を準備しておく。遺族からの要請を受けて，造花を選び，香成分と防腐効果のある材料を造花自体に付ける。それを即時に納入先に送る。葬祭業者に花の添え方の指導も行うことも行う。
造花に，寒さに強い生の切り花を混ぜることもある。
続いて、本考案の実施形態の作用を説明する。
【００１７】（本考案の実施例）
菊，百合などの遺族が希望しそうな種類の花の造花にラベンダー，バラ，百合等の香を付けて，遺体を保管するお棺に飾りつけたところ，遺族に非常に感謝された。しかも要請に直ちに安価に応えることができた。この方法が遺族の心を慰めることができること，が確認された。
【図１】
0003207332.tif 000003
【手続補正書】
【提出日】平成28年9月4日(2016.9.4)
【手続補正２】
【補正対象書類名】明細書
【補正対象項目名】全文
【補正方法】変更
【補正の内容】
【考案の詳細な説明】
【技術分野】
【０００１】  本考案は、葬儀前および葬儀中に保管する遺体の脇に添える造花に関する。
【背景技術】
【０００２】  遺体の保管では，防腐のためにドライアイスを脇に置くことが行われている。または，遺体が冷凍室にて保管されることがある。葬儀では，火葬の前の出棺前に，生花を入れて飾ることが行われている。出棺前の保管の状態では，香を放つ花を添えることはしていない。【０００３】  なお、本考案に関連する先行技術として特許文献１から特許文献３に示すものがある。
【先行技術文献】
【特許文献】
【０００４】
【特許文献１】  特開２０１３−２４０９７１
【特許文献２】  特開２００５−２４０２６１
【考案の概要】
【考案が解決しようとする課題】
【０００５】  遺体の防腐の目的だけでドライアイスや防腐材を脇に置くだけ，または冷凍室にて保管するだけでは，遺族と関係者の満足を満たすことが難しい。遺体を物のように扱うことになる。【０００６】  出棺前の保管時に，または冷蔵庫保存時に，故人が好きだった生花添えることもできるが，生花では萎れてしまう。香がないと遺族の満足を得るのは困難である。面会の方は遺体の扱いに対して残念に思うことが多い。【０００７】  つまり、従来の方法では遺族または面会に来る関係者の満足を得ることのできることが困難であり，かつ不快感を与えることが多い，という問題がある。
【課題を解決するための手段】
【０００８】  本願の考案者は、前述の問題を解決するために、造花に香を付加して，遺体の脇に添えることを考案した。故人または遺族の好む造花で遺体を飾る，また香の良い造花で飾ること，出棺前の遺体保管の状態で，お棺に遺体の周りにおくことで，遺族の満足を得ることができると考えて、本考案を完成するに至った【０００９】  造花にすることで，冷凍環境でも萎れることがない。【００１０】  造花は常時保管しておけるので急な要請にも応えることができる。【００１１】  香は，ラベンダーなど色々なものを選べるようにし，遺族の要求に応えることができる。香は、長い期間必要ないので、納入直前に付けることで、香がなくなることがない。【００１２】  出棺前に添える生花と一緒に火葬してしまうので，廃棄の処理は不要である。【００１３】  花の種類は，季節に拘わらず，菊，百合など多数の種類を準備できる。
【考案の効果】
【００１４】  本考案によれば、遺族の満足できる遺体の保管方法を提供できる。冷凍保管の時でも同様である。前述のように、造花であるので事前に準備しておける。また香と防腐効果は，納入直前にスプレイ方式などで付加することができる。よって，緊急な要請に対しても対応できる。遺族の要請に，安価に迅速に応えることができる。
【図面の簡単な説明】
【００１５】
【図１】  図１は、遺体（省略）を保管する容器と、造花を示す。
【考案を実施するための形態】
【００１６】  本考案の実施形態に係る方法を以下に説明する。
色々な花の造花，香成分，防腐効果のある付加材を準備しておく。遺族からの要請を受けて，造花を選び，香成分と防腐効果のある材料を造花自体に付ける。それを即時に納入先に送る。葬祭業者に花の添え方の指導も行うことも行う。
造花に，寒さに強い生の切り花を混ぜることもある。
続いて、本考案の実施形態の作用を説明する。
【００１７】（本考案の実施例）
菊，百合などの遺族が希望しそうな種類の花の造花にラベンダー，バラ，百合等の香を付けて，遺体を保管するお棺に飾りつけたところ，遺族に非常に感謝された。しかも要請に直ちに安価に応えることができた。この方法が遺族の心を慰めることができること，が確認された。
【符号の説明】
【００１８】  １は、遺体の容器の中にいれて、遺体のそばに添える香の付いた造花
２は、遺体を入れる容器（遺体の図は省略）